(57)【要約】【課題】作業者が室内機に出向くことなく、ドレンパンの汚れを精度よく点検できる空気調和機を提供する。【解決手段】空気調和機は、その内部に設けられ、空気調和機に設けられたドレンパン５０をドレンパン５０の上方から撮像する撮像部７０と、撮像部７０によって撮像された画像を出力する無線通信ユニットとを備える。撮像部７０は、ドレンパン５０のドレン水の最下流を含む領域を撮像する。【選択図】図３
2020139666.tif 000002
【特許請求の範囲】
【請求項１】
空気調和機（１）の内部に設けられ、前記空気調和機（１）に設けられたドレンパン（５０）を前記ドレンパン（５０）の上方から撮像する撮像部（７０）と、
前記撮像部（７０）によって撮像された画像を出力する出力部（７９，９０）と、
を備え、
前記撮像部（７０）は、前記ドレンパン（５０）のドレン水の最下流を含む領域を撮像する
空気調和機。
【請求項２】
前記撮像部（７０）は、前記ドレンパン（５０）の流路に沿って撮像する
請求項１に記載の空気調和機。
【請求項３】
前記撮像部（７０）は、前記空気調和機（１）の室内機（１０）の内部に設けられている
請求項１又は２に記載の空気調和機。
【請求項４】
前記ドレン水を吸引するドレンポンプ（６０）をさらに備え、
前記撮像部（７０）は、前記ドレンパン（５０）のうちの前記ドレンポンプ（６０）における前記ドレン水の吸込部（６１）を含む領域を撮像する
請求項１又は２に記載の空気調和機。
【請求項５】
前記空気調和機（１）は、
ケーシング（２０）と、
前記ケーシング（２０）の内壁に固定されるとともに、前記撮像部（７０）が取り付けられる取付部材（２８，２９）と、
を備える
請求項１〜４のいずれか一項に記載の空気調和機。
【請求項６】
前記ケーシング（２０）には、点検口（２３Ａ）が設けられ、
前記空気調和機（１）は、前記点検口（２３Ａ）を開閉する点検蓋（２７）をさらに備え、
前記取付部材（２８，２９）は、前記点検蓋（２７）に取り付けられている
請求項５に記載の空気調和機。
【請求項７】
前記撮像部（７０）は、
レンズ（７１）と、
前記レンズ（７１）よりも撮像方向の後方に配置された光源（７２）と、
を備える
請求項１〜６のいずれか一項に記載の空気調和機。
【発明の詳細な説明】
【技術分野】
【０００１】
本開示は、空気調和機に関する。
【背景技術】
【０００２】
従来、例えば天井埋め込み型空気調和機の室内機に設けられたドレンパンの汚れの点検方法として、作業者が室内機からドレンパンを取り外した状態で、目視によってドレンパンの汚れを点検する方法が知られている。しかし、この点検方法では、ドレンパンの取り外し作業が煩雑であるため、ドレンパンを取り外すことなく、ドレンパンの汚れを点検する方法が提案されている（例えば特許文献１及び２参照）。
【先行技術文献】
【特許文献】
【０００３】
【特許文献１】特開２００７−３０９５５８号公報
【特許文献２】特開２００５−２８３０５７号公報
【発明の概要】
【発明が解決しようとする課題】
【０００４】
特許文献１のドレンパンの点検方法では、作業者が室内機まで出向いてドレンパンを目視によって点検する必要がある。一方、特許文献２のドレンパンの点検方法では、ドレンモータの電流値又は回転数によって間接的にドレン水の汚れレベルを判定するため、作業者が室内機まで出向いてドレンパンの汚れを確認する必要はない。しかし、作業者が目視によってドレンパンの汚れを点検する方法と比べ、ドレンパンの汚れを精度よく点検できないおそれがある。
【０００５】
本開示の目的は、作業者が室内機に出向くことなく、ドレンパンの汚れを精度よく点検できる空気調和機を提供することである。
【課題を解決するための手段】
【０００６】
この課題を解決する空気調和機は、空気調和機の内部に設けられ、前記空気調和機に設けられたドレンパンを前記ドレンパンの上方から撮像する撮像部と、前記撮像部によって撮像された画像を出力する出力部と、を備え、前記撮像部は、前記ドレンパンのドレン水の最下流を含む領域を撮像する。
【０００７】
この構成によれば、作業者は、撮像部が撮像したドレンパンのドレン水の最下流を含む領域の画像を、出力部を介して取得できる。このため、作業者は、室内機まで出向くことなく、画像からドレンパンの汚れを目視によって点検できる。したがって、作業者が室内機に出向くことなく、ドレンパンの汚れを精度よく点検できる。
【０００８】
上記空気調和機において、前記撮像部は、前記ドレンパンの流路に沿って撮像することが好ましい。
この構成によれば、撮像部は、ドレンパンのうちのドレン水の最下流及び最下流よりも上流部分を撮像できる。したがって、ドレンパンをより広い範囲で撮像でき、ドレンパンの汚れを精度よく点検できる。
【０００９】
上記空気調和機において、前記撮像部は、前記空気調和機の室内機の内部に設けられていることが好ましい。
この構成によれば、ドレン水がドレンパンから漏れる影響が室外機よりも大きい室内機のドレンパンのドレン水の最下流を含む領域の画像を、出力部を介して取得できるため、室内機のドレンパンの汚れを精度よく点検できる。したがって、室内機のドレンパンからのドレン水の漏れが発生する前にドレンパンからのドレン水の漏れが発生しないように室内機のドレンパンを清掃できる。
【００１０】
上記空気調和機において、前記ドレン水を吸引するドレンポンプをさらに備え、前記撮像部は、前記ドレンパンのうちの前記ドレンポンプにおける前記ドレン水の吸込部を含む領域を撮像することが好ましい。
【００１１】
ドレンポンプにおけるドレン水の吸込部は、ドレンパンの汚れによって詰まるおそれがある。そこで、撮像部がドレンパンのうちのドレンポンプの吸込部を含む領域を撮像することによって、ドレンポンプの吸込部の詰まりの有無を点検できる。
【００１２】
上記空気調和機において、前記空気調和機は、ケーシングと、前記ケーシングの内壁に固定されるとともに、前記撮像部が取り付けられる取付部材と、を備えることが好ましい。
【００１３】
この構成によれば、ケーシングの内壁に固定された取付部材に撮像部が取り付けられることによって、取付部材の長さや形状に応じて、ドレンパンに対する撮像部の位置を調整できる。
【００１４】
上記空気調和機において、前記ケーシングには、点検口が設けられ、前記空気調和機は、前記点検口を開閉する点検蓋をさらに備え、前記取付部材は、前記点検蓋に取り付けられていることが好ましい。
【００１５】
この構成によれば、取付部材を介して点検蓋に撮像部を支持させた状態で、点検蓋をケーシングの点検口を閉鎖するように取り付けると、撮像部がドレンパンのドレン水の最下流を含む領域を撮像可能な位置となる。このため、ケーシングの内部において、撮像部の位置調整や取付作業を行わずに、撮像部がドレンパンのドレン水の最下流を含む領域を撮像可能な位置に設定できる。したがって、撮像部を室内機の内部に容易に設置できる。
【００１６】
上記空気調和機において、前記撮像部は、レンズと、前記レンズよりも撮像方向の後方に配置された光源と、を備えることが好ましい。
この構成によれば、光源がレンズよりも撮像方向の後方に位置するため、撮像部の撮像範囲に光源が入り込むことを回避できる。
【図面の簡単な説明】
【００１７】
【図１】第１実施形態の空気調和機の室内機の内部構造を示す平面図。
【図２】図１の室内機の正面図。
【図３】図１の室内機の内部構造を示す断面図。
【図４】ドレンパン及び撮像部の斜視図。
【図５】図１の室内機の前面パネル側の概略構成を示す斜視図。
【図６】図１の室内機の点検蓋の内側の構造を示す斜視図。
【図７】第１実施形態の撮像システムの概略構成を示すブロック図。
【図８】第２実施形態の空気調和機の室内機の内部構造を示す断面図。
【図９】（ａ）は図８の室内機の概略構成を示す平面図、（ｂ）はドレンパンと撮像部との関係を説明するための模式的な断面図。
【図１０】変更例の空気調和機について、室内機の内部構造を示す断面図。
【図１１】変更例の空気調和機について、撮像部の調整機構の概略構成を示す斜視図。
【図１２】変更例の空気調和機について、撮像部の調整機構の概略構成を示す斜視図。
【図１３】変更例の空気調和機について、撮像部のレンズと光源との位置関係を示す斜視図。
【図１４】変更例の空気調和機について、撮像部及び取付部材の構造を示す斜視図。
【図１５】変更例の空気調和機について、撮像部と電源部との電気的接続構造を説明するための模式図。
【図１６】変更例の空気調和機について、撮像部が間接的にドレンパンを撮像する構造を説明するための模式図。
【図１７】変更例の空気調和機について、撮像システムの概略構成を示すブロック図。
【図１８】変更例の空気調和機について、撮像システムの概略構成を示すブロック図。
【発明を実施するための形態】
【００１８】
（第１実施形態）
以下、第１実施形態の空気調和機１について説明する。なお、本開示は、以下に記載する例示に限定されるものではなく、特許請求の範囲によって示され、特許請求の範囲と均等の意味及び範囲内での全ての変更が含まれることが意図される。
【００１９】
また、添付図面は、理解を容易にするために構成要素を拡大して示している場合がある。構成要素の寸法比率は実際のものと、又は別の図面中のものと異なる場合がある。また、断面図では、理解を容易にするために、一部の構成要素のハッチングを省略する場合がある。
【００２０】
図１に示すように、空気調和機１は、天井吊型の室内機１０を備える。室内機１０は、冷媒配管を介して室外機（図示略）に接続されている。本実施形態の空気調和機１は、充填された冷媒が循環することにより蒸気圧縮式の冷凍サイクルが行われる冷媒回路を構成する。室外機は、冷媒回路に接続される圧縮機及び室外熱交換器と、室外熱交換器に対して送風する室外ファンとを備える。空気調和機１は、室内空気ＲＡを吸気し、吸気した室内空気ＲＡの温度を冷媒回路によって調節し、温度を調節した空気を供給空気ＳＡとして室内に供給する。
【００２１】
室内機１０は、天井に吊り下げられるケーシング２０を備える。ケーシング２０は、室内ファン３０、室内熱交換器４１、電装品箱４２、ドレンパン５０、及びドレンポンプ６０が収容されている。
【００２２】
空気調和機１は、例えば暖房運転と冷房運転とを実行可能に構成されている。
冷房運転では、室外機の圧縮機で圧縮された冷媒が、室外熱交換器で凝縮し、膨張弁で凝縮される。減圧された冷媒は、室内機１０の室内熱交換器４１で蒸発し、圧縮機で再び圧縮される。室内ファン３０が運転されると、室内空気ＲＡがケーシング２０の吸込口２５Ａからケーシング２０の内部に吸い込まれる。吸込口２５Ａから吸い込まれた空気は、室内熱交換器４１を通過する。室内熱交換器４１では、冷媒が空気から吸熱することによって空気が冷却される。冷却された空気は、ケーシング２０の吹出口２６Ａを通過した後、供給空気ＳＡとして室内空間へ供給される。
【００２３】
ここで、室内熱交換器４１で空気が露点温度以下にまで冷却されると、空気中の水分が凝縮する。このように発生した凝縮水であるドレン水は、ドレンパン５０によって適宜回収される。ドレンパン５０によって回収されたドレン水は、ドレンポンプ６０によってケーシング２０の外部に排出される。
【００２４】
暖房運転では、室外機の圧縮機で圧縮された冷媒が、室内機１０の室内熱交換器４１で凝縮し、膨張弁で減圧される。減圧された冷媒は、室外機の室外熱交換器で蒸発し、圧縮機で再び圧縮される。このため、室内熱交換器４１では、冷媒が空気に放熱し、空気が加熱される。室内ファン３０が運転されると、室内熱交換器４１によって過熱された空気が供給空気ＳＡとして室内空間へ供給される。
【００２５】
次に、図１〜図４を参照して、室内機１０の詳細な構成について説明する。
ケーシング２０は、例えば金属製であり、直方体の中空箱形に形成されている。ケーシング２０は、天板２１、底板２２、及び４つの側板として前面パネル２３、後面パネル２４、第１側面パネル２５、第２側面パネル２６を有する。ケーシング２０が天井に設置された状態において、鉛直方向において天板２１と底板２２とは対向している。鉛直方向と直交する方向のうちの所定方向において前面パネル２３と後面パネル２４とが対向している。前面パネル２３と後面パネル２４とが対向する所定方向及び鉛直方向と直交する方向において第１側面パネル２５と第２側面パネル２６とが対向している。
【００２６】
前面パネル２３は、サービス業者等の作業者が室内機１０をメンテナンスするためのメンテナンス用空間ＭＳに面している。前面パネル２３には、第１開口部２３Ａ及び第２開口部２３Ｂが設けられている。第１開口部２３Ａは、前面パネル２３における第２側面パネル２６寄りの部分に設けられている。第２開口部２３Ｂは、前面パネル２３における第１側面パネル２５寄りに設けられている。第１側面パネル２５には、吸込口２５Ａが形成されている。吸込口２５Ａは、吸込ダクト（図示略）に接続されている。吸込ダクトの流入端は、室内空間に繋がっている。第２側面パネル２６には、吹出口２６Ａが形成されている。吹出口２６Ａは、吹出ダクト（図示略）に接続されている。吹出ダクトの流出端は、室内空間に繋がっている。ケーシング２０の内部には、吸込口２５Ａから吹出口２６Ａまでの間に空気流路が形成されている。
【００２７】
室内ファン３０は、ケーシング２０における第１側面パネル２５寄りの部分に配置されている。室内ファン３０は、吸込口２５Ａから吸気された室内空気ＲＡを搬送する。本実施形態では、室内ファン３０は、３台のシロッコファン３１が１つのモータ３２によって駆動されるように構成されている。なお、３台のシロッコファン３１に対するモータ３２の位置は任意に変更可能である。一例では、モータ３２が３台のシロッコファン３１よりも前面パネル２３側又は後面パネル２４側に配置されてもよい。
【００２８】
室内熱交換器４１は、ケーシング２０における第２側面パネル２６寄りの部分に配置されている。室内熱交換器４１は、例えばフィンアンドチューブ式の熱交換器によって構成されている。図３に示すように、本実施形態の室内熱交換器４１は、第２側面パネル２６から第１側面パネル２５に向かうにつれて底板２２側に傾斜する斜め置きとなるように配置されている。
【００２９】
図１に示すように、室内熱交換器４１における前面パネル２３側の端部には、ヘッダ集合管４１Ａが設けられている。ヘッダ集合管４１Ａは、室内熱交換器４１における前面パネル２３側の側縁に沿うように斜めに延びている。ヘッダ集合管４１Ａは、分岐管（図示略）を介して室内熱交換器４１の伝熱管に接続されている。なお、図３では、便宜上、ヘッダ集合管４１Ａを省略して示している。
【００３０】
電装品箱４２は、ケーシング２０において前面パネル２３寄りかつ第１側面パネル２５寄りの部分に配置されている。電装品箱４２は、前面パネル２３側に向けて開口する箱本体４２Ａと、箱本体４２Ａの開口面を開閉する電装品蓋４２Ｂとを有する。箱本体４２Ａは、前面パネル２３の第２開口部２３Ｂに取り付けられている。箱本体４２Ａの内部には、電源回路、制御回路等が搭載されたプリント基板４３、プリント基板４３を介して電源回路、制御回路等の回路に電気的に接続される配線、電源回路に電力を供給する強電側電源部、制御回路に電力を供給する弱電側電源部等が収容されている。電装品蓋４２Ｂは、第２開口部２３Ｂ及び箱本体４２Ａの開口面を覆うように前面パネル２３に着脱可能に取り付けられている。電装品蓋４２Ｂは、前面パネル２３の一部を構成している。電装品蓋４２Ｂが前面パネル２３から取り外されることによって、箱本体４２Ａの内部がメンテナンス用空間ＭＳに露出される。
【００３１】
図３に示すように、ドレンパン５０は、ケーシング２０において室内ファン３０よりも第２側面パネル２６寄りに配置されている。ドレンパン５０は、ケーシング２０の底板２２に沿うように、室内熱交換器４１の鉛直方向の下側に配置されている。図１に示すように、ドレンパン５０は、前面壁５１、後面壁５２、第１側壁５３、第２側壁５４、及び底壁５５を有する。前面壁５１はケーシング２０の前面パネル２３側に設けられ、後面壁５２はケーシング２０の後面パネル２４側に設けられ、第１側壁５３は室内ファン３０側に設けられ、第２側壁５４はケーシング２０の第２側面パネル２６側に設けられている。前面壁５１は室内熱交換器４１よりも前面パネル２３側に配置され、後面壁５２は室内熱交換器４１よりも後面パネル２４側に配置されている。第１側壁５３はケーシング２０内の空気流路において室内熱交換器４１の上流側に配置され、第２側壁５４はケーシング２０内の空気流路において室内熱交換器４１の下流側に配置されている。
【００３２】
図４に示すように、ドレンパン５０の底壁５５は、後面壁５２から前面壁５１に向かうにつれて鉛直方向の下側に向けて傾斜し、かつ第１側壁５３から第２側壁５４（図１参照）に向かうにつれて鉛直方向の下側に向けて傾斜するように構成されている。ドレンパン５０では、後面壁５２及び第１側壁５３がドレン水の上流側となり、前面壁５１及び第２側壁５４がドレン水の下流側となる。ドレンパン５０において前面壁５１に最も近くかつ第２側壁５４に最も近い部分がドレン水の最下流となる。底壁５５において前面壁５１に最も近くかつ第２側壁５４に最も近い部分には、凹部５６が設けられている。凹部５６は、ドレンパン５０を前面パネル２３と平行な平面で切った断面視において略台形状となる。凹部５６の底面の高さは、底壁５５において最も低くなる。言い換えれば、凹部５６は、ドレンパン５０において最も深い最深部が構成されている。
【００３３】
ドレンポンプ６０は、ドレンパン５０の内部に配置されている。具体的には、ドレンポンプ６０は、ドレンパン５０の底壁５５よりも鉛直方向の上側かつ凹部５６に対向している。ドレンポンプ６０の吸込部６１は、凹部５６の内部に配置されている。ドレンポンプ６０の吐出部には、ドレン配管６２の流入端が接続されている。ドレン配管６２は、ケーシング２０の前面パネル２３を貫通して延びている。ドレンポンプ６０が運転されると、ドレンパン５０に溜まったドレン水が汲み上げられる。汲み上げられたドレン水は、ドレン配管６２を介してケーシング２０の外部に排出される。
【００３４】
図１に示すように、前面パネル２３の第１開口部２３Ａは、ドレンパン５０に対応する位置に形成されている。第１開口部２３Ａは、作業者がメンテナンス用空間ＭＳからドレンパン５０の状態を確認する点検口として構成される。図２に示すように、第１開口部２３Ａは、長方形部分２３Ｘと、長方形部分２３Ｘの鉛直方向の下側の一方の角部と連続する三角形部分２３Ｙとによって構成されている。三角形部分２３Ｙは、長方形部分２３Ｘからケーシング２０の第２側面パネル２６側に突出している。前面パネル２３には、第１開口部２３Ａを覆うように点検蓋２７が取り付けられている。
【００３５】
点検蓋２７は、第１開口部２３Ａと略相似形であり、かつ第１開口部２３Ａよりも大きい形状を有する。点検蓋２７は、ケーシング２０に着脱可能に取り付けられている。点検蓋２７は、第１開口部２３Ａを開閉する。一例では、図５に示すように、点検蓋２７の外縁部には、点検蓋２７をケーシング２０の前面パネル２３に取り付けるための複数（本実施形態では３つ）の締結孔が形成されている。点検蓋２７は、複数の締結孔に挿入される複数の締結部材（本実施形態ではボルト）によって、前面パネル２３に取り付けられている。作業者は、ケーシング２０から点検蓋２７を取り外すことによって、メンテナンス用空間ＭＳからドレンパン５０（図３参照）の内部を点検できる。
【００３６】
図６に示すように、点検蓋２７の内壁２７Ａには、撮像部７０が取り付けられている。撮像部７０は、点検蓋２７の内壁２７Ａにステー２８を介して取り付けられている。ステー２８は、点検蓋２７の内壁２７Ａに撮像部７０を取り付けるための取付部材であり、内壁２７Ａに固定されている。
【００３７】
ステー２８は、点検蓋２７の内壁２７Ａの略中央部分に固定されている。ステー２８は、例えば点検蓋２７に溶接されてもよいし、複数の締結部材を介して点検蓋２７に締結されてもよい。複数の締結部材の一例は、ボルトである。ステー２８を点検蓋２７に溶接する場合、点検蓋２７に締結用の貫通孔を設ける必要がない。このため、点検蓋２７のシール性及び断熱性を確保し易くなる。一方、ステー２８を複数の締結部材によって点検蓋２７に締結する場合、ステー２８と点検蓋２７との相対位置を確実に決定できる。
【００３８】
ステー２８は、点検蓋２７の内壁２７Ａの面方向と直交する方向に延びている。本実施形態では、ステー２８は、ステー２８を内壁２７Ａの面方向と平行な方向の平面で切った断面形状が略Ｌ字状となるように形成されている。ステー２８は、第１板部２８Ａと、第１板部２８Ａと一体に形成される第２板部２８Ｂとを有する。第１板部２８Ａと第２板部２８Ｂとのなす角は、約９０°である。点検蓋２７がケーシング２０に取り付けられた状態において、ステー２８は、第１板部２８Ａと第２板部２８Ｂとの連続部分が鉛直方向の上側を向くように点検蓋２７に取り付けられている。
【００３９】
ステー２８の第１板部２８Ａには、撮像部７０が着脱可能に取り付けられている。具体的には、撮像部７０の背面には、支持板７３が固定されている。支持板７３は、１又は複数の締結部材によってステー２８の第１板部２８Ａに固定されている。締結部材の一例はボルトである。
【００４０】
撮像部７０は、ドレンパン５０（図４参照）をドレンパン５０の上方から撮像する。撮像部７０は、ドレンパン５０の流路に沿って撮像する。一例では、撮像部７０は、ドレンパン５０よりも鉛直方向の上側、かつドレンパン５０の第１側壁５３から第２側壁５４に向かって斜め下方となるように配置されている。ここで、撮像部７０がドレンパン５０の流路に沿って撮像する場合のレンズ７１の向きは、撮像部７０のレンズ７１の向きが鉛直方向となる場合と、ドレンパン５０の流路及び鉛直方向と直交する方向となる場合とを除く、レンズ７１の向きを含む。
【００４１】
撮像部７０の一例は、カメラである。本実施形態では、撮像部７０は、アナログカメラである。撮像部７０は、レンズ７１及び光源７２を有する。レンズ７１は、例えば超広角レンズによって構成されている。光源７２は、撮像部７０がドレンパン５０を撮像するときに発光するフラッシュ光源である。
【００４２】
図３及び図４に示すように、点検蓋２７がケーシング２０に取り付けられた状態において、撮像部７０のレンズ７１は、ドレンパン５０におけるドレン水の最下流を含む領域に向けられている。具体的には、撮像部７０のレンズ７１は、ドレンパン５０の凹部５６に向いている。点検蓋２７がケーシング２０に取り付けられた状態において、撮像部７０は、ドレンパン５０におけるドレン水の最下流を含む領域を撮像可能な位置に配置されている。具体的には、撮像部７０は、ドレンパン５０の底壁５５よりも鉛直方向の上側かつ底壁５５において前面壁５１側の端部に配置されている。本実施形態では、撮像部７０は、ドレンパン５０におけるドレン水の最下流を含む領域、及びドレンポンプ６０の吸込部６１を少なくとも撮像する。ドレンパン５０におけるドレン水の最下流を含む領域は、ドレンパン５０の凹部５６を中心として、凹部５６及びその周辺の領域である。
【００４３】
次に、撮像部７０を含む撮像システム８０について説明する。
図７に示すように、撮像システム８０は、撮像部７０、電源部８１、出力部の一例である無線通信ユニット９０、及び通信端末１００を備える。撮像部７０は、ケーシング２０の内部に配置されている。無線通信ユニット９０は、ケーシング２０の外部に配置され、伝送線９１を介して撮像部７０と接続されている。伝送線９１は、例えば点検蓋２７に形成された配線用の貫通孔に挿通されている。
【００４４】
電源部８１は、例えば電装品箱４２の内部に設けられている。撮像部７０と電源部８１とを繋ぐ電源線８２は、例えばケーシング２０の第１開口部２３Ａ（図５参照）を介してケーシング２０の外部に引き出され、ケーシング２０の外部から電装品箱４２の内部に引き込まれる。このような配線によって、ケーシング２０内の撮像部７０と、電装品箱４２内の電源部８１とが電源線８２を介して電気的に接続されている。これにより、電源部８１から撮像部７０に電力が供給される。電源部８１は、空気調和機１の他の機器の電源を兼用している。空気調和機１の他の機器の一例は、室内ファン３０（図１参照）である。
【００４５】
撮像部７０は、撮像制御部７４及び第１送受信部７５を有する。撮像制御部７４は、外部から入力された撮像指令に応じて、撮像部７０の撮像の動作を制御する。第１送受信部７５は、伝送線９１に接続されている。本実施形態では、撮像部７０はアナログカメラであるため、第１送受信部７５は、アナログ情報としての画像データを出力する。
【００４６】
無線通信ユニット９０は、第２送受信部９２、記憶部９３、及び無線通信部９４を有する。第２送受信部９２は、伝送線９１に接続されている。これにより、撮像部７０と無線通信ユニット９０との間で画像データや制御信号の授受が可能となる。本実施形態では、第２送受信部９２は、アナログ／デジタル変換回路を含む。アナログ／デジタル変換回路は、例えば第１送受信部７５から受信したアナログ情報としての画像データをデジタル情報としての画像データに変換する。記憶部９３は、取得された画像データを記憶する。本実施形態では、記憶部９３は、デジタル情報としての画像データを記憶する。記憶部９３は、種々のメモリデバイスによって構成されている。無線通信部９４は、無線によって通信端末１００と接続される。無線通信部９４は、例えば無線式のルータによって構成されている。無線通信部９４は、空気調和機１の周辺の通信端末１００と無線ＬＡＮを経由して接続される。なお、無線通信部９４は、例えばＬＥＴ等の携帯高速通信技術の通信回路を利用するものであってもよい。
【００４７】
通信端末１００は、無線ＬＡＮ等と接続可能なスマートフォン、タブレット端末、携帯電話、パーソナルコンピュータ等で構成されている。通信端末１００は、マイクロコンピュータと、マイクロコンピュータを動作させるためのソフトウェアと、メモリデバイスと、画像データを受信する受信部と、所定の指令を出力する送信部とを有する。また通信端末１００は、操作部１０１と表示部１０２とを有する。サービス業者等の作業者は、キーボード、タッチパネル等の操作部１０１によって所定のアプリケーションソフトを操作する。表示部１０２に表示されたアプリケーションソフト上では、例えば撮像部７０の撮像を実行するための指令を送信したり、撮像部７０が撮像したデジタル情報としての画像データをダウンロードしたりできる。
【００４８】
本実施形態のドレンパン５０の確認作業について説明する。
本実施形態では、ドレンパン５０の状態を撮像システム８０によって適宜確認できる。ドレンパン５０の状態は、ドレンパン５０のドレン水の汚れ具合、ドレン水の水位、及びドレンポンプ６０の吸込部６１のドレン水の詰り具合を含む。ドレン水の汚れ具合は、ドレン水の腐敗、カビ、バイオフィルム等の発生状況を含む。本実施形態では、ドレンパン５０のうちのドレン水の最下流を含む領域の状態を撮像システム８０によって確認する。
【００４９】
ケーシング２０に点検蓋２７が取り付けられた状態において、撮像部７０のレンズ７１がドレンパン５０のうちのドレン水の最下流を含む領域を指向している。この状態において、作業者が通信端末１００を操作し、アプリケーションソフト上で撮像のコマンドを入力する。これにより、通信端末１００から無線通信ユニット９０に撮像指令が出力される。無線通信ユニット９０は、撮像部７０に撮像指令を出力する。撮像部７０に撮像指令が入力されると、撮像制御部７４によって撮像部７０の撮像が実行される。撮像部７０が撮像するとき、光源７２が発光することにより、ドレンパン５０のうちのドレン水の最下流を含む領域が照らされる。このように、作業者は、作業者が要求するタイミングで、ドレンパン５０のうちのドレン水の最下流を含む領域の画像データを取得できる。取得された画像データは、通信端末１００の表示部１０２に表示できる。これにより、作業者は、室内機１０に出向くことなく、ドレンパン５０のうちのドレン水の最下流を含む領域の状態を確認できる。
【００５０】
本実施形態の作用について説明する。
例えばドレンポンプの故障やドレン配管の詰りによってドレンパンのドレン水が排水できない状況において、空気調和機が冷房運転を継続して運転すると、ドレン水がドレンパンに溜まり続け、ドレン水がドレンパンから溢れてしまう場合がある。その結果、室内機から室内空間にドレン水が漏れてしまう場合がある。
【００５１】
このような問題では、ドレンパンにおける排水部分に原因があるため、ドレンパンの状態を確認するにしても、ドレンパンのドレン水の上流側におけるドレンパンの状態よりもドレンパンにおけるドレン水の最下流を含む領域におけるドレンパンの状態を確認する必要がある。
【００５２】
そこで、本実施形態では、撮像部７０がドレンパン５０におけるドレン水の最下流を含む領域を撮像するように構成されている。このため、作業者は、ドレンパン５０におけるドレン水の最下流を含む領域の画像データからドレン水が詰まりやすい状況か否かを判断できる。そして作業者は、ドレン水が詰りやすい状況の場合にドレンパン５０の清掃を適宜提案できる。
【００５３】
本実施形態によれば、以下の効果が得られる。
（１−１）撮像部７０がドレンパン５０のドレン水の最下流を含む領域を撮像する場合、無線通信ユニット９０を介してサービス業者等の作業者の通信端末１００に画像データが送信される。このため、作業者は、室内機１０まで出向くことなく、画像データからドレンパン５０の汚れを目視によって点検できる。したがって、作業者が室内機１０に出向くことなく、ドレンパン５０の汚れを精度よく点検できる。加えて、画像データは、ドレンパン５０のうちで最も汚れるドレン水の最下流の領域を含んでいるため、作業者は、ドレンパン５０の清掃が必要か否かを正確に判断できる。
【００５４】
（１−２）撮像部７０は、ドレンパン５０の流路に沿って撮像する。この構成によれば、撮像部７０は、ドレンパン５０のうちのドレン水の最下流及び最下流よりも上流部分を撮像できる。したがって、ドレンパン５０をより広い範囲で撮像でき、ドレンパン５０の汚れを精度よく点検できる。
【００５５】
（１−３）撮像部７０は、室内機１０の内部に設けられている。この構成によれば、ドレン水の漏れの影響が室外機よりも大きい室内機１０のドレンパン５０の汚れを精度よく点検できる。したがって、室内機１０のドレン水の漏れが発生する前に、ドレン水の漏れが発生しないように室内機１０のドレンパン５０を清掃できる。
【００５６】
（１−４）撮像部７０は、ドレンパン５０のうちのドレンポンプ６０の吸込部６１を含む領域を撮像する。この構成によれば、ドレンパン５０の汚れに起因したドレンポンプ６０の吸込部６１の詰まりの有無を点検できる。
【００５７】
（１−５）撮像部７０は、ステー２８を介してケーシング２０に取り付けられている。この構成によれば、ステー２８の長さや形状に応じて、ドレンパン５０に対する撮像部７０の位置を調整できる。
【００５８】
（１−６）ステー２８は点検蓋２７に取り付けられている。この構成によれば、ステー２８を介して点検蓋２７に撮像部７０を支持させた状態で、点検蓋２７をケーシング２０の第１開口部２３Ａを閉鎖するように取り付けると、撮像部７０がドレンパン５０のドレン水の最下流を含む領域を撮像可能な位置となる。このため、ケーシング２０の内部において、撮像部７０の位置調整や取付作業を行わずに、撮像部７０がドレンパン５０のドレン水の最下流を含む領域を撮像可能な位置に設定できる。したがって、撮像部７０を室内機１０の内部に容易に設置できる。
【００５９】
（１−７）撮像部７０はケーシング２０の内部に配置されている。無線通信ユニット９０はケーシング２０の外部に配置され、伝送線９１によって撮像部７０と接続されている。この構成によれば、撮像部７０と無線通信ユニット９０との間に金属製のケーシング２０が配置されることによって無線が送受信し難い状態であっても、有線の伝送線９１によって撮像部７０と無線通信ユニット９０とが接続されるため、撮像部７０の画像データを無線通信ユニット９０の好適に送信できる。また無線通信ユニット９０から撮像部７０に制御信号を好適に送信できる。
【００６０】
加えて、無線通信ユニット９０がケーシング２０の外部に配置されるため、無線通信ユニット９０の配置の自由度を向上できる。このため、無線通信ユニット９０を電波状態の良い環境となる場所に配置できる。したがって、無線通信ユニット９０と通信端末１００とが無線によって好適に通信できる。また高い耐環境性が必要となるケーシング２０の内部には撮像部７０のみが配置されることになり、撮像部７０及び無線通信ユニット９０の両方が高い耐環境性が必要となる部品で構成される必要がなくなる。したがって、撮像部７０及び無線通信ユニット９０の両方がケーシング２０の内部に配置される構成と比較して、撮像システム８０のコストを低減できる。また撮像部７０及び無線通信ユニット９０を個別に交換できるため、撮像部７０及び無線通信ユニット９０の耐久年数が異なる場合であっても、撮像部７０及び無線通信ユニット９０の両方を交換しなくてもよいため、撮像システム８０の部品交換時のコストを低減できる。
【００６１】
（１−８）撮像部７０は、アナログカメラである。この構成によれば、撮像部７０がデジタルカメラの場合と比較して、撮像部７０が出力する画像データにノイズが乗り難くなる。したがって、画質の高い画像データを通信端末１００に表示させることができる。
【００６２】
（第２実施形態）
図８及び図９を参照して、第２実施形態の空気調和機１について説明する。本実施形態の空気調和機１は、第１実施形態の空気調和機１と比較して、空気調和機１の各構成要素の形状が異なる。以下の説明において、便宜上、第１実施形態の空気調和機１の構成要素の機能と共通する構成要素には同一符号を付し、その機能の説明を省略する。
【００６３】
図８に示すように、本実施形態の空気調和機１は、天井埋め込み型の空気調和機である。空気調和機１は、室外機（図示略）と、室内機１０とを備える。室外機と室内機１０とが冷媒配管によって接続されることにより、冷媒回路が構成されている。
【００６４】
室内機１０は、天井裏に設置されるケーシング２０を備える。ケーシング２０は、鉛直方向の下側に開口面が形成される矩形箱状のケーシング本体２０Ａと、開放面を塞ぐようにケーシング本体２０Ａに着脱可能に取り付けられるパネル１１とを備える。パネル１１は、矩形枠状のパネル本体１１Ａと、パネル本体１１Ａの中央に設けられる吸込グリル１１Ｂとを有する。
【００６５】
パネル本体１１Ａの中央には１つの吸込口１２が形成されている。吸込グリル１１Ｂは、吸込口１２に取り付けられている。パネル本体１１Ａの４つの側縁部にはそれぞれ、吹出口１３が１つずつ形成されている。各吹出口１３は、４つの側縁に沿うように延びている。各吹出口１３の内部には、ケーシング２０の内部から外部に吹き出される空気の向きを調整するための風向調整羽根１４が設けられている。
【００６６】
ケーシング本体２０Ａの内部には、ベルマウス１５、室内ファン３０、室内熱交換器４１、ドレンパン５０、及びドレンポンプ６０（図９参照）が収容されている。ベルマウス１５及び室内ファン３０は、吸込グリル１１Ｂよりも鉛直方向の上方において吸込口１２と鉛直方向に対向するように配置されている。本実施形態の室内ファン３０は、例えばターボファンが用いられている。
【００６７】
図９（ａ）に示すように、室内熱交換器４１は、室内ファン３０の周囲を取り囲むように配置されている。ドレンパン５０は、室内熱交換器４１の鉛直方向の下側に配置されている。ドレンパン５０は、室内熱交換器４１の下端部の全てを覆うように設けられている。このため、ドレンパン５０は、室内ファン３０の周囲を取り囲むように配置されている。室内熱交換器４１及びドレンパン５０は、吸込口１２（図８参照）の周縁を囲むように配置されている。
【００６８】
ケーシング本体２０Ａには、仕切板１６が設けられている。仕切板１６は、室内ファン３０の周囲において室内熱交換器４１が設置されていない領域ＲＸを形成している。領域ＲＸには、例えば室内熱交換器４１のヘッダ集合管（図示略）が設けられている。
【００６９】
本実施形態では、ドレンパン５０は、平面視において環状に設けられている。ドレンパン５０において領域ＲＸに設けられた部分である第１部分５７は、仕切板１６の鉛直方向の下側に配置されている。ドレンパン５０は、第１部分５７がドレン水の最下流の領域となるように構成されている。具体的には、図９（ｂ）に示すように、ドレンパン５０は、第１部分５７が鉛直方向の最下部となるように底壁５５が徐々に傾斜するように構成されている。本実施形態では、ドレンパン５０において第１部分５７と、室内ファン３０の回転中心軸ＪＣに対して点対称となる部分である第２部分５８がドレン水の最上流の領域となるように構成されている。ドレンパン５０が延びる方向において、第２部分５８から第１部分５７に向けて底壁５５が徐々に鉛直方向の下方に傾斜している。なお、第１部分５７がドレン水の最下流の領域となるように構成することが可能な範囲において、第２部分５８の位置は任意に変更可能である。
【００７０】
ドレンポンプ６０は、領域ＲＸに設置されている。ドレンポンプ６０は、鉛直方向においてドレンパン５０の第１部分５７と対向している。より詳細には、ドレンポンプ６０の吸込部（図示略）は、ドレンパン５０の第１部分５７の内部に配置されている。
【００７１】
撮像部７０は、ステー２８を介してドレンパン５０に取り付けられている。本実施形態のステー２８は、ドレンパン５０から鉛直方向の上側に向けて延びている。撮像部７０は、ドレンパン５０において第１部分５７と第２部分５８との間の部分に取り付けられている。撮像部７０は、例えばドレンパン５０において第２部分５８よりも第１部分５７に近い部分に取り付けられている。本実施形態では、撮像部７０は、ドレンパン５０において第１部分５７から連続してケーシング本体２０Ａの側縁に延びる第３部分５９に取り付けられている。撮像部７０は、ドレンパン５０のドレン水の最下流を含む領域を撮像する。本実施形態では、撮像部７０は、ドレンパン５０の第１部分５７を撮像する。撮像部７０が撮像する領域には、例えば、第１部分５７及びドレンポンプ６０の吸込部（図示略）が含まれる。
【００７２】
撮像部７０は、ドレンパン５０の流路に沿って撮像する。一例では、撮像部７０は、ドレンパン５０よりも鉛直方向の上側、かつドレンパン５０が延びる方向に沿った向きとなるように配置されている。本実施形態では、撮像部７０は、レンズ７１がドレンパン５０の流路のうちのドレン水の上流側から下流側に向くように配置されている。ここで、撮像部７０がドレンパン５０の流路に沿って撮像する場合のレンズ７１の向きは、撮像部７０のレンズ７１の向きが鉛直方向となる場合と、ドレンパン５０の流路及び鉛直方向と直交する方向となる場合とを除く、レンズ７１の向きを含む。
【００７３】
撮像部７０は、ケーシング本体２０Ａの内部において、その周囲の空気の流速が比較的小さい位置に配置されることが好ましい。具体的には、空気調和機１の吹出口１３から吹き出される空気の平均流速をＶａとすると、撮像部７０は、吹出空気の平均流速Ｖａの３０％以下の空気が流れる位置に配置されている。これにより、撮像部７０の周囲の空気の流速が過度に速いことに起因して空気中の塵埃等が撮像部７０のレンズ７１の表面に付着することを抑制できる。したがって、撮像部７０がドレンパン５０におけるドレン水の最下流の領域を精度よく撮像できる。
【００７４】
本実施形態によれば、第１実施形態の（１−１）〜（１−７）と同様の効果に加え、以下の効果が得られる。
（２−１）撮像部７０は、ステー２８を介してドレンパン５０に取り付けられている。この構成によれば、例えばパネル１１を取り外した状態でドレンパン５０をケーシング本体２０Ａの外部に取り出す。取り出されたドレンパン５０にステー２８を介して撮像部７０を取り付ける。このとき、撮像部７０とドレンパン５０との相対位置、及び撮像部７０の撮像方向を調整する。そしてドレンパン５０をケーシング本体２０Ａに取り付ける。このように、ケーシング本体２０Ａの内部において撮像部７０の設置作業を行うことなく、撮像部７０を正確な位置に合わせることができる。
【００７５】
（変更例）
上記各実施形態は本開示に関する空気調和機が取り得る形態の例示であり、その形態を制限することを意図していない。本開示に関する空気調和機は上記各実施形態に例示された形態とは異なる形態を取り得る。その一例は、上記各実施形態の構成の一部を置換、変更、もしくは、省略した形態、又は上記各実施形態に新たな構成を付加した形態である。以下の変更例において、上記各実施形態の形態と共通する部分については、上記各実施形態と同一の符号を付してその説明を省略する。
【００７６】
・上記第１実施形態において、撮像部７０と撮像部７０が取り付けられる構成部品との間には、防振部材を設けることが好ましい。構成部品の一例は、点検蓋２７である。防振部材は、例えばステー２８と点検蓋２７の内壁２７Ａとの間に設けられる。また防振部材は、例えばステー２８と支持板７３との間に設けられる。このような構成によれば、ケーシング２０側の振動が撮像部７０に伝播することが抑制されるため、撮像部７０による画像データが振動の影響により不鮮明になることを回避できる。
【００７７】
・上記第１実施形態において、撮像部７０は、その内部への浸入を抑制するための防水構造を有することが好ましい。一例では、撮像部７０は、その周囲を防水用の部材で覆われる。これにより、ケーシング２０の内部の凝縮水等の水分の影響により撮像部７０が故障することを回避できる。
【００７８】
・上記第２実施形態において、撮像部７０のレンズ７１の向きを風下側に向くように撮像部７０を設置してもよい。この構成によれば、空気中の塵埃等がレンズ７１の表面に付着し難くなるため、レンズ７１の汚れを抑制できる。
【００７９】
・上記第２実施形態において、撮像部７０のレンズ７１の向きを風上側に向くように撮像部７０を設置してもよい。この場合、レンズ７１は、球面状のレンズである魚眼レンズを用いることが好ましい。
【００８０】
・上記各実施形態において、ドレンポンプ６０が省略された構成であれば、撮像部７０は、ドレンパン５０におけるドレン水の最下流の領域と鉛直方向に対向してもよい。この場合、撮像部７０のレンズ７１は、鉛直方向の下側に向けられる。
【００８１】
・上記各実施形態において、撮像部７０が取り付けられる室内機１０の構成部品は、点検蓋２７及びドレンパン５０に限られず、任意に変更可能である。撮像部７０は、ケーシング２０の内壁に取り付けられてもよい。例えば、第１実施形態では、撮像部７０は、ケーシング２０の前面パネル２３にステー２８を介して取り付けられてもよい。また撮像部７０は、ケーシング２０の天板２１にステー２８を介して取り付けられてもよい。撮像部７０は、ケーシング２０の第２側面パネル２６のうちの吹出口２６Ａよりも前面パネル２３側の部分にステー２８を介して取り付けられてもよい。また例えば、第２実施形態では、撮像部７０は、ケーシング本体２０Ａにおいて室内熱交換器４１を取り囲む側壁の内面にステー２８を介して取り付けられてもよい。撮像部７０は、仕切板１６にステー２８を介して取り付けられてもよい。
【００８２】
例えば、各実施形態において、撮像部７０は、室内熱交換器４１にステー２８を介して取り付けられてもよい。一例では、図１０に示すように、ヘッダ集合管４１Ａに取付部材の一例であるステー２９を介して取り付けられる。ステー２９の一例は、クリップ式で構成されている。図１１に示すように、ステー２９は、一対の挟持部材２９Ａと、一対の挟持部材２９Ａを内方へ付勢する弾性部材（図示略）とを有する。弾性部材の一例は、スプリングである。各挟持部材２９Ａは、略矩形板状の突板部２９Ｘと、突板部２９Ｘの先端に支持される把持部２９Ｙとを有する。一対の突板部２９Ｘの基端側には、突板部２９Ｘを互いに回動可能に支持する支持軸（図示略）が設けられている。把持部２９Ｙは、外側に向かって膨出する略円弧状に形成されている。一対の把持部２９Ｙは、互いに対向している。弾性部材は、一対の挟持部材２９Ａの間に配置されている。弾性部材は、一対の挟持部材２９Ａの間隔を狭くするように構成されている。
【００８３】
ステー２９には、調整機構１１０が設けられている。調整機構１１０は、ボールジョイント１１１を備える。ボールジョイント１１１は、ステー２９側に固定される第１継手１２０と、撮像部７０側に固定される第２継手１３０とを有する。第１継手１２０は、ロッド１２１と、ロッド１２１の先端に設けられるソケット１２２とを有する。ソケット１２２は、中空状の球体の一部が切除された形状であり、その内部に略球状の嵌合凹部１２３が形成されている。嵌合凹部１２３の開口端の周縁部には、複数の切り欠き溝１２４が形成されている。図１１では、嵌合凹部１２３には、４個の切り欠き溝１２４が設けられている。複数の切り欠き溝１２４は、等間隔おきに周方向に配列されている。切り欠き溝１２４の数は、これに限れず、任意に変更可能である。また切り欠き溝１２４を省略してもよい。
【００８４】
第２継手１３０は、撮像部７０に連結される回動軸１３１と、回動軸１３１の先端に設けられるボール１３２とを有する。ボール１３２は、ソケット１２２の嵌合凹部１２３に内嵌されている。ボール１３２は、嵌合凹部１２３と球面接触するようにソケット１２２に保持されることにより、嵌合凹部１２３の内部で回転自在に構成されている。回動軸１３１は、ボール１３２とともに傾動可能、かつ回動軸１３１の軸中心を中心として回転可能に構成されている。回動軸１３１は、嵌合凹部１２３の切り欠き溝１２４に係合可能である。回動軸１３１が切り欠き溝１２４に係合されることによって、回動軸１３１の位置が決められる。
【００８５】
以上の構成により、撮像部７０は、ロッド１２１の軸中心を中心として３６０°にわたり向きが変更可能、かつロッド１２１の軸中心に対する傾斜角度を変更可能に構成されている。これにより、撮像部７０がドレンパン５０におけるドレン水の最下流を含む領域を撮像可能なように撮像部７０の向きを調整できる。
【００８６】
なお、ステー２９から調整機構１１０を省略してもよい。また、空気調和機１における点検蓋２７以外の構成要素に撮像部７０が取り付けられる場合、ケーシング２０の第１開口部２３Ａ及び点検蓋２７を省略してもよい。
【００８７】
・上記各実施形態において、図１２に示すように、撮像部７０の撮像方向を変更する調整機構１１０を設けてもよい。調整機構１１０の構成は、図１１の調整機構１１０の構成と同じである。調整機構１１０の第１継手１２０はステー２８（図６参照）に取り付けられ、第２継手１３０は撮像部７０に取り付けられている。第１継手１２０は、ステー２８に直接的に取り付けられてもよいし、ステー２８に取り付けられた支持板７３に固定されることによってステー２８に間接的に取り付けられてもよい。第１継手１２０がステー２８に直接的に取り付けられる場合、支持板７３は省略される。第２継手１３０は、撮像部７０に直接的に取り付けられてもよいし、撮像部７０に取り付けられた固定板１４０に固定されることによって撮像部７０に間接的に取り付けられてもよい。第２継手１３０が撮像部７０に直接的に取り付けられる場合、固定板１４０は省略される。
【００８８】
・上記各実施形態において、図１３に示すように、撮像部７０の光源７２は、レンズ７１よりも撮像方向の後方に配置されてもよい。この構成によれば、撮像部７０の撮像範囲に光源７２の光が直接入り込むことを回避できる。その結果、光源７２の光の影響に起因して撮像部７０が撮像した画像データが不鮮明になることを回避できる。
【００８９】
・上記各実施形態において、光源７２の光が過度に強いと、レンズ７１に入射する反射光も強くなり、所謂ハレーションによって、撮像部７０が撮像した画像データが不鮮明になるおそれがある。そこで、光源７２の発光体を覆うガラスとして、磨りガラス（曇りガラス）等の半透明の材料を用いることもできる。
【００９０】
・上記各実施形態において、撮像部７０のレンズ７１の種類は任意に変更可能である。レンズ７１は、広角レンズ又は魚眼レンズであることが好ましい。なお、広角レンズは、一般的な広角レンズに対して、画角がさらに広い、所謂超広角レンズも含む。魚眼レンズは、１８０°以上の画角を有し、好ましくは２２０°以上の画角を有する。広角レンズ及び魚眼レンズは、通常のレンズに比べ、画角が広いため、レンズ７１とドレンパン５０におけるドレン水の最下流を含む領域との間の距離が短くてもその領域を広範囲にわたって撮像できる。
【００９１】
・上記各実施形態のステー２８の形状は任意に変更可能である。一例では、図１４に示すように、ステー２８は、板金が階段状に折り返されて構成されている。ステー２８は、点検蓋２７に固定される基部から先端に向けて順に、固定板部２８Ｃ、縦板部２８Ｄ、横板部２８Ｅ、及び取付板部２８Ｆが連続して形成されている。固定板部２８Ｃは、ステー２８の固定対象物の壁面に沿って形成され、固定対象物の壁面に複数の締結部材によって固定される。締結部材の一例はボルトである。固定対象物の壁面は第１実施形態では点検蓋２７の内壁２７Ａであり、第２実施形態ではドレンパン５０である。縦板部２８Ｄは、固定板部２８Ｃから固定対象物の壁面に対して略垂直となる方向に延びている。横板部２８Ｅは、固定板部２８Ｃと平行に延び、かつステー２８の基部から斜め上方に延びている。取付板部２８Ｆは、縦板部２８Ｄと平行に延びている。取付板部２８Ｆは、ドレンパン５０におけるドレン水の最下流の領域を指向するように斜め下方を向いている。取付板部２８Ｆには、支持板７３を介して撮像部７０が固定されている。支持板７３は、複数の締結部材を介して取付板部２８Ｆに固定されている。これにより、撮像部７０は、ドレンパン５０におけるドレン水の最下流の領域を指向するように配置される。
【００９２】
・上記各実施形態において、ドレンポンプ６０を省略してもよい。この場合、ドレン配管６２は、ドレンパン５０におけるドレン水の最下流の部分に接続される。ドレンパン５０のドレン水は、自重によりドレン配管６２に向けて流れる。
【００９３】
・上記各実施形態において、光源７２にＵＶランプを用いてもよい。この場合、ドレンパン５０の内壁に、紫外線により発光する発光塗料を塗布することが好ましい。この構成によれば、撮像部７０は、発光塗料が白く光る状態でドレンパン５０を撮像すると、ドレンパン５０の汚れ及びバイオフィルムが黒く際立つ。これにより、撮像部７０による画像データにおいて、ドレンパン５０の汚れ及びバイオフィルムを確認し易くなる。また光源７２は、ドレンパン５０においてドレン水の最下流を含む領域を照射することが好ましい。この構成によれば、ドレンパン５０において最も汚れやすいドレン水の最下流を含む領域を紫外線によって除菌できる。この場合、光源７２の発光タイミングは、撮像部７０が撮像するタイミングに限られない。光源７２は、任意のタイミングで発光してもよい。
【００９４】
・上記各実施形態において、撮像部７０と電源部８１又は無線通信ユニット９０（ともに図７参照）との電気的接続構造は任意に変更可能である。一例では、図１５に示すように、撮像部７０側の内部配線７６が第１コネクタ７６Ａ及び第２コネクタ８３Ａを介して外部配線８３に接続されている。撮像部７０は、内部配線７６の一端が接続されている。内部配線７６は、ケーシング２０の点検蓋２７に設けられた挿入孔２７Ｂを介してケーシング２０の外部に引き出される。点検蓋２７には、挿入孔２７Ｂと内部配線７６との間を塞ぐための部材が設けられてもよい。なお、挿入孔２７Ｂは、点検蓋２７に限られず、ケーシング２０の前面パネル２３に設けられてもよい。ケーシング２０の外部に引き出された内部配線７６の他端には、第１コネクタ７６Ａが設けられている。外部配線８３の一端は、例えば電装品箱４２（図７参照）の電源部８１に接続されている。外部配線８３の他端は、電装品箱４２の外部に引き出される。外部配線８３の他端には、第２コネクタ８３Ａが設けられている。このように、第１コネクタ７６Ａ及び第２コネクタ８３Ａは、ケーシング２０の外部で連結されている。これにより、電源部８１は、撮像部７０に給電可能となる。
【００９５】
なお、内部配線７６及び外部配線８３は、画像データ及び各種の信号の授受を行う伝送線であってもよいし、給電及び伝送の双方を可能なケーブルであってもよい。内部配線７６及び外部配線８３が伝送線の場合、無線通信ユニット９０と外部配線８３とを接続する。無線通信ユニット９０は、室内機１０のケーシング２０に取り付けられてもよいし、室内機１０から離れた場所に設置されてもよい。
【００９６】
以上の構成によれば、第１コネクタ７６Ａ及び第２コネクタ８３Ａがケーシング２０の外部に配置されるため、ケーシング２０の外部で内部配線７６と外部配線８３との接続及び取り外しを行うことができる。したがって、内部配線７６と外部配線８３との接続及び取り外しを容易に行うことができる。
【００９７】
・第１実施形態において、ケーシング２０の前面パネル２３に点検蓋２７が取り付けられると、図１５の内部配線７６の接点と、外部配線８３の接点とが繋がる構成としてもよい。一例では、内部配線７６の他端側と接続する第１接点部が点検蓋２７の外縁部に設けられ、ケーシング２０の第１開口部２３Ａの開口縁部に外部配線８３の他端側と接続する第２接点部が設けられる。ケーシング２０の前面パネル２３に点検蓋２７が取り付けられると、点検蓋２７側の第１接点部と、ケーシング２０側の第２接点部とが接触する。これにより、内部配線７６と外部配線８３とが電気的に接続される。この構成によれば、内部配線７６と外部配線８３との接続作業を省略できる。
【００９８】
・上記各実施形態では、撮像部７０がドレンパン５０におけるドレン水の最下流を含む領域を直接的に撮像しているが、これに限られず、鏡を用いて間接的に撮像してもよい。一例では、図１６に示すように、撮像部７０がドレンパン５０の外部に配置され、撮像部７０のレンズ７１とドレンパン５０との間に、室内機１０の他の構成部材Ｃが介在する場合、構成部材Ｃが撮像部７０の撮像に対する障害物となり、撮像部７０がドレンパン５０におけるドレン水の最下流を含む領域を直接的に撮像できない。そこで、鏡７７にドレンパン５０におけるドレン水の最下流を含む領域の鏡像が形成されるように、鏡７７の位置及び向きと、撮像部７０の向きとを調整する。詳述すると、鏡７７に形成されるドレンパン５０におけるドレン水の最下流を含む領域の鏡像が撮像部７０のレンズ７１に向かって形成されるように、撮像部７０と鏡７７との相対位置が設定される。言い換えると、撮像部７０のレンズ７１から鏡７７に向かう光が鏡７７によって反射する方向が、ドレンパン５０におけるドレン水の最下流を含む領域を向いている。この構成によれば、撮像部７０とドレンパン５０におけるドレン水の最下流の領域との間に構成部材Ｃが介在したとしても、撮像部７０がドレンパン５０におけるドレン水の最下流の領域を撮像できる。
【００９９】
・上記各実施形態の撮像システム８０において、無線通信ユニット９０は、電波状態の良い環境の場所への配置が難しい場合、アンテナ線を電波状態の良い環境の場所に向けて延ばしてもよい。これにより、無線通信するためのアンテナ部を電波状態の良い環境の場所に配置できる。
【０１００】
・上記各実施形態の撮像システム８０において、無線通信ユニット９０がケーシング２０の内部に配置されてもよい。この場合、無線通信ユニット９０のアンテナ線がケーシング２０の外部に延びることが好ましい。これにより、無線通信するためのアンテナ部がケーシング２０の外部に設置されるため、アンテナ部における通信がケーシング２０の影響を受けることが抑制される。
【０１０１】
・上記各実施形態の撮像システム８０は、以下の（Ａ）及び（Ｂ）のように変更してもよい。
（Ａ）図１７に示すように、撮像システム８０は、無線通信ユニット９０が省略された構成である。図１７に示す撮像システム８０では、撮像部７０と通信端末１００とが無線通信する。具体的には、撮像部７０は、撮像制御部７４、記憶部７８、及び無線通信部７９を有する。一方、撮像部７０は、第１送受信部７５が省略されている。記憶部７８は、撮像部７０が撮像した画像データを記憶する。記憶部７８は、種々のメモリデバイスによって構成されている。無線通信部７９は、出力部の一例であり、無線によって通信端末１００と接続される。無線通信部７９は、例えば無線式のルータで構成されている。無線通信部７９は、通信端末１００と無線ＬＡＮを経由して接続される。無線通信部７９は、通信端末１００に画像データを出力する。このため、通信端末１００は、撮像部７０から画像データを受信できる。無線通信部７９は、通信端末１００からの撮像指令を受信できる。なお、無線通信部７９は、例えば携帯高速通信技術（例えばＬＴＥ）の通信回線を利用してもよい。
【０１０２】
（Ｂ）図１８に示すように、撮像システム８０では、無線通信ユニット９０及び通信端末１００がネットワークＮを介してクラウドサーバ１５０に接続される。例えば無線通信ユニット９０側の画像データは、ネットワークＮを経由してクラウドサーバ１５０に送られ、クラウドサーバ１５０に記憶される。通信端末１００は、クラウドサーバ１５０にアクセスすることによって画像データを取得できる。
【０１０３】
・上記各実施形態では、撮像部７０は、天井吊型及び天井埋め込み型の室内機１０の内部に設置されたが、これに限られず、床置き型、壁掛け型等の室内機１０の内部に設置されてもよい。
【０１０４】
・上記各実施形態では、撮像部７０は室内機１０のドレンパン５０を撮像する構成であったが、これに限られず、撮像部７０は室外機のドレンパンを撮像する構成であってもよい。室外機のドレンパンは、室外熱交換器の鉛直方向の下側に配置され、室外熱交換器の凝縮水を回収する。
【０１０５】
以上、本装置の実施の形態を説明したが、特許請求の範囲に記載された本装置の趣旨及び範囲から逸脱することなく、形態や詳細の多様な変更が可能なことが理解されるであろう。
【符号の説明】
【０１０６】
１  空気調和機
１０  室内機
２０  ケーシング
２３Ａ  第１開口部（点検口）
２７  点検蓋
２８  ステー（取付部材）
２９  ステー（取付部材）
５０  ドレンパン
６０  ドレンポンプ
６１  吸込部
７０  撮像部
７１  レンズ
７２  光源
７９  無線通信部（出力部）
９０  無線通信ユニット（出力部）
【図１】
2020139666.tif 000003
【図２】
2020139666.tif 000004
【図３】
2020139666.tif 000005
【図４】
2020139666.tif 000006
【図５】
2020139666.tif 000007
【図６】
2020139666.tif 000008
【図７】
2020139666.tif 000009
【図８】
2020139666.tif 000010
【図９】
2020139666.tif 000011
【図１０】
2020139666.tif 000012
【図１１】
2020139666.tif 000013
【図１２】
2020139666.tif 000014
【図１３】
2020139666.tif 000015
【図１４】
2020139666.tif 000016
【図１５】
2020139666.tif 000017
【図１６】
2020139666.tif 000018
【図１７】
2020139666.tif 000019
【図１８】
2020139666.tif 000020